(57)【要約】  【目的】  係止されたコード類の端末部がコード類巻取り用リールから外れることを防止する。  【構成】  コード類巻取り用リール１は，巻胴の両端にフランジ２が設けられ，少なくとも一方のフランジ２の外側面の周縁付近にクリップ３とそのガード部材４が設けられるとともに窓５が形成されている。クリップ３は，フランジ２の外側面に固定される取付部31と，取付部31からフランジ２の外側面から離れる方向に屈曲して窓５の方向にのびた弾性を有するばね部32と，ばね部32から窓５に向うコード類の保持部33とを有する。保持部33は，窓５に臨み，かつフランジ２の内側面よりも内側に突出しない位置に保持されている。ガード部材４は，少なくともばね部32の最も外方に突出した部分の外側を跨いでその両端部がフランジ２に固定されている。  【選択図】    図１
2005162401.tif 000002
【特許請求の範囲】
【請求項１】
巻胴の両端にフランジが設けられ，
少なくとも一方の上記フランジの外側面の周縁付近にクリップとそのガード部材が設けられるとともに窓が形成され，
上記クリップは，上記フランジの外側面の上記窓から若干離れた箇所に固定される取付部と，上記取付部から上記フランジの外側面から離れる方向に屈曲して窓がある方向にのびた弾性を有するばね部と，上記ばね部から上記窓に向うコード類の保持部とを有し，
上記保持部は，上記窓に臨み，かつ上記フランジの内側面よりも内側に突出しない位置に保持されており，
上記ガード部材は，少なくとも上記ばね部の最も外方に突出した部分の外側を跨いでその両端部が上記フランジに固定されている，
コード類巻取り用リール。
【請求項２】
外方に付勢された上記ばね部が上記ガード部材に当っている，請求項１に記載のコード類巻取り用リール。
【請求項３】
上記ガード部材には，上記ばね部に対応する位置に孔が形成されている，請求項１に記載のコード類巻取り用リール。
【請求項４】
上記フランジの外周縁には，外側に折り返された折返し部が形成され，
上記ガード部材は，上記折返し部の外端より外側に突出しないように形成されている，請求項１から３のいずれか一項に記載のコード類巻取り用リール。
【請求項５】
巻胴の両端にフランジが設けられ，
少なくとも一方の上記フランジの外側面の周縁付近にクリップとそのガード部材が設けられるとともに窓が形成され，
上記クリップは，上記フランジの外側面の上記窓から若干離れた箇所に固定される取付部と，上記取付部から上記フランジの外側面から離れる方向に屈曲して窓がある方向にのびた弾性を有するばね部と，上記ばね部から上記窓に向い内端部が上記窓内に入るコード類の保持部とを有し，
上記ガード部材は，少なくとも上記ばね部の最も外方に突出した部分の外側を跨いでその両端部が上記フランジに固定され，
外方に付勢された上記ばね部が上記ガード部材に当り，上記保持部の内端部がフランジの内側面よりも内側に突出しない位置に保持されている，
コード類巻取り用リール。
【請求項６】
巻胴の両端にフランジが設けられ，
少なくとも一方の上記フランジの外側面の周縁付近にクリップとそのガード部材が設けられるとともに窓が形成され，
上記クリップは，上記フランジの外側面の上記窓から若干離れた箇所に固定される取付部と，上記取付部から上記フランジの外側面から離れる方向に屈曲して窓がある方向にのびた弾性を有するばね部と，上記ばね部から上記窓に向い先端部が上記窓内に入るコード類の保持部とを有し，
上記ガード部材は，少なくとも上記ばね部の最も外方に突出した部分の外側を跨いでその両端部が上記フランジに固定され，
上記窓の一辺の縁に，上記フランジの内側面において窪みが形成され，上記ばね部によって外方に付勢された保持部の上記窓内に入っている上記先端部が上記窪みに掛っている，
コード類巻取り用リール。
【発明の詳細な説明】
【技術分野】
【０００１】
この発明はコード類巻取り用リールに関し，特にリールに巻回されたコード類の端末部分を止めるための構造を有するコード類巻取り用リールに関する。
【背景技術】
【０００２】
コード類巻取り用リールに巻回されたコード類の端末を係止するために，コード類巻取り用リールのフランジの外側面に弾性を有するクリップを取付け，クリップの一部をフランジに形成された窓からフランジの内側に導入するものがある（例えば、特許文献１）。このようなコード類端部係止構造では，コード類の端末部分を止めるために外側からクリップの一部を押す。
【特許文献１】特開平１０−２４５１６０号公報
【０００３】
コード類巻取り用リールは保管，運搬等の取扱い時にさまざまな外力を受ける。たとえば，コード類巻取り用リールを重ね合わせて積上げたときに，上に置かれたリールの重力が下に置かれたリールに加わる。このような外力がクリップの一部に加わると，コード類の端末が外れるおそれがある。
【発明の開示】
【０００４】
この発明は，クリップによるコード類の末端部（端末，端末部，端末部分）の保持を外力から保護することができるコード類巻取り用リールを提供するものである。
【０００５】
コード類（またはコード）とは，スチール・コード，フィラメント，金属線，ワイヤ，ロープ，鋼索，合成樹脂線，網，ひも等の種々の名称で呼ばれる線状体（撚り線を含む）のすべてを意味し，その材料は問わない。
【０００６】
第１発明によるコード類巻取り用リールは，巻胴の両端にフランジが設けられ，少なくとも一方の上記フランジの外側面の周縁付近にクリップとそのガード部材が設けられるとともに窓が形成され，上記クリップは，上記フランジの外側面の上記窓から若干離れた箇所に固定される取付部と，上記取付部から上記フランジの外側面から離れる方向に屈曲して窓がある方向にのびた弾性を有するばね部と，上記ばね部から上記窓に向うコード類の保持部とを有し，上記保持部が，上記窓に臨み，かつ上記フランジの内側面よりも内側に突出しない位置に保持されており，上記ガード部材が，少なくとも上記ばね部の最も外方に突出した部分の外側を跨いでその両端部が上記フランジに固定されているものである。上記ガード部材は上記フランジの外側に突出状に設けられる。ガード部材は，フランジに取付けられるか，またはフランジと一体成形される。
【０００７】
この第１発明によると，コード類巻取り用リールにコード類を巻回した後，クリップのばね部を外側から押圧することにより，クリップの保持部がフランジの内側面よりも内側に突出する。これによりクリップの保持部とフランジの内側面との間に間隙が形成される。この間隙にコード類の端末部を入れる。その後，ばね部に加えている押圧力を解除すれば，コード類の端末部はクリップの保持部とフランジの内側面とによって挟持されて係止される。
【０００８】
クリップの保持部の先端部または内端部は，フランジの内側面よりも内側に突出しない位置に保持されている。したがって，クリップの保持部の先端部または内端部が，コード類をコード類巻取り用リールに巻回する巻回作業，動作の邪魔になることはない。
【０００９】
このように第１発明のコード類巻取り用リールによると，コード類の端末止作業が容易である。また，コード類巻取り用リールのフランジに取付けられるクリップのばね部の最も外方に突出した部分の外側を跨ぐ形でガード部材が設けられているので，クリップを外力から保護することができる。すなわち，クリップ（特にばね部）に加わるような外力があったとしても，この外力をガード部材が受けるので，外力がばね部に加わることが未然に防止される。このことにより，クリップのばね部が外力によってフランジの内側に押され，クリップの保持部とフランジの内側面との間に保持されたコード類の末端部が外れてしまうことが防止され，コード類の端末止の状態を維持することができる。
【００１０】
好ましくは，外方に付勢された上記ばね部が上記ガード部材に当っており，これによりばね部の位置決めが行われるので，クリップの保持部の先端部または内端部がフランジの内側面よりも内側に突出しない位置に確実に保持される。もちろん，クリップのばね部がガード部材に当接していなくてもよい。ばね部等の形状を，クリップの保持部がフランジの内側面よりも内側に突出しないように定めておけばよい。
【００１１】
上記フランジの外周縁には，外側に折り返された折返し部が形成され，上記ガード部材は，上記折返し部の外端より外側に突出しないように形成されていることが好ましい。コード類巻取り用リールを，その一方のフランジの外側面が床面に接するように置いたときでも，ガード部材は床面に軽く接するかまたは床面から離れているので，ガード部材を保護することが可能である。
【００１２】
好ましくは，上記ガード部材には，上記ばね部に対応する位置に孔が形成されている。孔の形状および大きさは，作業者の指，押圧のための冶具，または機械の一部（押棒，プッシャ等）が入るように定められる。これにより，ガード部材の存在にかかわらず，ばね部を外側から押すことができる。
【００１３】
第２発明によるコード類巻取り用リールは，巻胴の両端にフランジが設けられ，少なくとも一方の上記フランジの外側面の周縁付近にクリップとそのガード部材が設けられるとともに窓が形成され，上記クリップは，上記フランジの外側面の上記窓から若干離れた箇所に固定される取付部と，上記取付部から上記フランジの外側面から離れる方向に屈曲して窓がある方向にのびた弾性を有するばね部と，上記ばね部から上記窓に向い内端部が上記窓内に入るコード類の保持部とを有し，上記ガード部材は，少なくとも上記ばね部の最も外方に突出した部分の外側を跨いでその両端部が上記フランジに固定され，外方に付勢された上記ばね部が上記ガード部材に当り，上記保持部の内端部がフランジの内側面よりも内側に突出しない位置に保持されているものである。
【００１４】
第２発明のコード類巻取り用リールによると，第１の発明と同じように，ガード部材によってクリップを外力から保護し，外力の作用によってコード類が外れてしまうのを防止することができる。また，外方に付勢されたばね部がガード部材に当っているので，保持部の内端部が窓に入っている状態において，その内端部がフランジの内側面よりも内側に突出しないように保持部を確実に位置決めすることができる。ガード部材は外力からのクリップの保護とクリップの保持部の位置決めに活用することができる。
【００１５】
第３発明によるコード類巻取り用リールは，巻胴の両端にフランジが設けられ，少なくとも一方の上記フランジの外側面の周縁付近にクリップとそのガード部材が設けられるとともに窓が形成され，上記クリップは，上記フランジの外側面の上記窓から若干離れた箇所に固定される取付部と，上記取付部から上記フランジの外側面から離れる方向に屈曲して窓がある方向にのびた弾性を有するばね部と，上記ばね部から上記窓に向い先端部が上記窓内に入るコード類の保持部とを有し，上記ガード部材は，少なくとも上記ばね部の最も外方に突出した部分の外側を跨いでその両端部が上記フランジに固定され，上記窓の一辺の縁に，上記フランジの内側面において窪みが形成され，上記ばね部によって外方に付勢された保持部の上記窓内に入っている上記先端部が上記窪みに掛っているものである。
【００１６】
窪みの大きさおよび深さは，クリップの保持部の先端部が掛かり，かつクリップの先端部がフランジの内側面よりもリールの内側に突出しない位置に保持されるように定められる。
【００１７】
第３発明によるコード類巻取り用リールによると，第１発明，第２発明と同じように，ガード部材によってクリップを外力から保護し，コード類の端末部が外れてしまうことを未然に防止することができる。また，フランジに形成された窪みにより，ばね部によって外方に付勢されたクリップの保持部の先端部を受け止めているので，クリップの保持部，特にその先端部をフランジの内側面よりも内側に突出しない位置に確実に保持しておくことができる。保持部の先端部と窪みとの間にコード類の端末部を挟み込んでコード類の端末部を確実に係止できる。
【実施例】
【００１８】
図１から図５はコード類巻取り用リールの第１実施例を示している。コード類巻取り用リール１は，巻胴（図示略）とその両端に取付けられた円板状のフランジ２とによって構成されている。図１では一方のフランジ２の一部のみが示されている。フランジ２の外周縁にはその全周にわたって外側に折り返された折返し部21が形成されている。フランジ２の周縁付近の外側面には，クリップ３が取付けられている。またフランジ２の外側面にはクリップ３を防護するガード部材４が一体成形されているとともに窓５があけられている。
【００１９】
クリップ３は，板状の鋼等の弾性体により形成されている。クリップ３は，フランジ２の外側面の窓５から若干離れた箇所（フランジ２の中心に寄った箇所）に固定される取付部31と，取付部31からばね作用をする湾曲部34を経てフランジ２の外側面から離れる方向に屈曲して斜め外方に，かつ窓５がある方向にのびた弾性を有するばね部32と，ばね部32から窓５に向いＵ字形に湾曲した内端部33Ａが窓５内に入るコード類保持部33とを備え，これらの取付部31と湾曲部34とばね部32と保持部33とが一体に形成されている。取付部31はフランジ２の外側面にスポット溶接により固定されている。もちろん，スポット溶接でなく，リベット，かしめ止め等により取付部31をフランジ２の外側面に固定してもよい。
【００２０】
ガード部材４はフランジ２の一部を帯状に切り出して外方に押出すことにより，フランジ２の外側面から突出状に形成され，両端部がフランジ２に連続している。ガード部材４は，クリップ３のばね部32とほぼ直交しかつばね部32の外側を跨いだ形となっている。
【００２１】
クリップ３のばね部32は外方に向って付勢されており，ばね部32の最も外方に突出した部分がガード部材４の内側面に当り，これによってクリップ３の保持部33が，保持部33の内端部33Ａがフランジ２の内側面よりも内側に突出しないように確実に位置決めされている。これにより，保持部33の内端部33Ａが窓５に入っていても，内端部33Ａがフランジ２の内側面よりも内側に突出することなくコード類の巻回作業の邪魔になることはない。もっとも，必ずしも，ばね部32がガード部材４の内側面に当っていなくてもよい。ばね部32の形状を適切に形成することにより，保持部33がフランジ２の内側面よりも内側に突出しないように保持することができる。
【００２２】
図３(A) ，図４(A) に示すように，ガード部材４はその外側面がフランジ２の折返し部21の外端よりもフランジ２側に位置しているか，または図３(B) ，図４(B) に示すように，ガード部材４はその外側面がフランジ２の折返し部21の外端と同位置（同程度，外方に突出している）にあることが好ましい。いずれにしても，ガード部材４はその外側面がフランジ２の折返し部21の外端よりも外方に突出しないことが好ましい。
【００２３】
ガード部材４をフランジ２の折返し部21によって保護することができる。たとえば，リール１が床面上に，そのフランジ２の外面が床面に接するように置かれたとしても，ガード部材４は床面に接するかまたは床面から離れた状態に保持され，ガード部材４に外力（リール１の重量）が加わらない。
【００２４】
コード類巻取り用リール１に適当な量巻回したコード類10の端末部10ａを係止する場合には，クリップ３のばね部32を外側から作業者の指，棒，適当な冶具または機械の一部（押棒，プッシャ等）で押圧する。すると，クリップ３の保持部33がフランジ２の内側面よりも内側に突出する。保持部33のＵ字形に湾曲した部分33Ａとフランジ２の内側面との間に間隙が形成されるので，この間隙に，コード類10の端末部10ａを入れる。その後，ばね部32に加えている押圧力を解除することにより，コード類10の端末部10ａはクリップ３の保持部33（Ｕ字形内端部33Ａ）とフランジ２の内側面とによって挟持され，係止される。このように，クリップ３のばね部32の弾性力によりコード類10の端末部分10ａが確実に係止される（図５，参照）。
【００２５】
コード類巻取り用リール１のフランジ２に取付けられるクリップ３のばね部32の最も外方に突出した部分の外側を跨ぐ形でガード部材４が設けられているので，クリップ３を外力から保護することができる。すなわち，クリップ３（特にばね部32）に加わるような外力があったとしても，この外力をガード部材４が受けるので，外力がばね部32に加わることが未然に防止される。このことにより，クリップ３のばね部32が外力によってフランジ２の内側に押され，クリップ３の保持部32とフランジ２の内側面との間に保持されたコード類10の末端部10ａが外れてしまうことが防止され，コード類の端末止の状態を維持することができる。たとえば，輸送，保管または運搬等の取り扱い時にコード類巻取り用リール１を重ね合わせて積み上げたときに，クリップ３のばね部32に，上に置かれたコード類巻取り用リール１の一部が接触してばね部32を押して，コード類10の末端部10ａが外れてしまうことが防止される。
【００２６】
図６，７は第１実施例の変形例を示している。
【００２７】
コード類巻取り用リール１Ａは，ガード部材４Ａに，クリップ３のばね部32の最も外方に突出した部分に対応する位置に，円形の孔41が形成されている点で第１実施例のコード類巻取り用リール１とは異なる。
【００２８】
ガード部材４Ａに形成された孔41は，棒，適当な冶具または機械の一部（押棒，プッシャ等）を挿入することができる大きさである。これにより，ガード部材４Ａの存在にもかかわらず，ばね部32を外側から容易に押すことができる。
【００２９】
図８から図12はコード類巻取り用リールの第２実施例を示している。第２実施例のコード類巻取り用リール１Ｂのフランジ２Ａの内側面には，折返し部21に連なる箇所において，窓５の一辺の縁に窪み22が形成されている。
【００３０】
クリップ３は，取付部31とばね部32との間において，ばね部32に補強リブ35が形成されている。保持部33は，ばね部32から窓５内から入り，Ｕ字形に湾曲した先端部33ａが窪み22に掛かっている。先端部33ａはフランジ２の内側面の内側に突出していない。
【００３１】
ばね部32は外側に付勢されている。この付勢に抗して，保持部33の先端部33ａが窪み22に掛かることにより，保持部33の先端部33ａをフランジ２Ａの内側面よりも内側に突出しない位置に確実に保持できる。
【００３２】
ばね部32を押し，保持部33の先端部33ａと窪み22との間に間隙を形成してこの間隙にコード類10の末端部10ａを挟み込む。末端部10ａは図12に示すように，窪み22の内面と保持部33の先端部33ａとの間に挟持されて保持される。
【００３３】
第２実施例においても，ガード部材４がフランジ２に一体成形され，このガード部材４はクリップ３のばね部32と直交した状態で交叉しかつばね部32の最も外側に突出した部分を跨いでいる。これによってばね部32が保護され，外力によって誤ってばね部32が押され，コード類10の末端部10ａが外れてしまうことが防止される。
【００３４】
巻胴の両端に取付けられた一方のフランジの一部分の構造について説明したが，他方のフランジに，一つのフランジの複数箇所にまたは両方のフランジに，上述したようなクリップとガード部材を設けてもよい。
【図面の簡単な説明】
【００３５】
【図１】第１実施例のコード類巻取り用リールのフランジの一部の拡大斜視図である。
【図２】第１実施例のコード類巻取り用リールの外側面のフランジの一部の正面図である。
【図３】図２のIII−III線に沿う断面図である。(A) は，ガード部材の外側面がフランジの折返し部の外端面よりも外側に突出しない状態を示す。(B) は，ガード部材の外側面がフランジの折返し部の外端面とほぼ同じ位置に設けられている状態を示す。
【図４】図２のIV−IV線に沿う断面図である。(A) は，ガード部材の外側面がフランジの折返し部の外端面よりも外側に突出しない状態を示す。(B) は，ガード部材の外側面がフランジの折返し部の外端面とほぼ同じ位置に設けられている状態を示す。
【図５】第１実施例のコード類巻取り用リールにコード類を巻取り，コード類の端末部を止めた状態を示す断面図である。
【図６】第１実施例のコード類巻取り用リールの変形例のフランジの一部の拡大斜視図である。
【図７】図６のVII−VII線に沿う断面図である。
【図８】第２実施例のコード類巻取り用リールのフランジの一部の拡大斜視図である。
【図９】第２実施例のコード類巻取り用リールの外側面のフランジの一部の正面図である。
【図１０】図９のＸ−Ｘ線に沿う断面図である。
【図１１】図９のXI−XI線に沿う断面図である。
【図１２】第２実施例のコード類巻取り用リールにコード類を巻取り，コード類の端末部を止めた状態を示す断面図である。
【符号の説明】
【００３６】
１，１Ａ，１Ｂ  コード類巻取り用リール
２  フランジ
３  クリップ
４，４Ａ  ガード部材
５  窓
１０  コード類
２１  折返し部
２２  窪み
３１  取付部
３２  ばね部
３３  保持部
４１  孔
【図１】
2005162401.tif 000003
【図２】
2005162401.tif 000004
【図３】
2005162401.tif 000005
【図４】
2005162401.tif 000006
【図５】
2005162401.tif 000007
【図６】
2005162401.tif 000008
【図７】
2005162401.tif 000009
【図８】
2005162401.tif 000010
【図９】
2005162401.tif 000011
【図１０】
2005162401.tif 000012
【図１１】
2005162401.tif 000013
【図１２】
2005162401.tif 000014